(57)【要約】【課題】本発明は、機器の制御のために機器に設けられるコントロールパネル、コントロールパネルの制御方法、及びコントロールパネルが設けられた衣類処理装置に関する。【解決手段】外観を形成するパネルボディーと、パネルボディーに設けられた複数個の光放出部と、光放出部の下部に位置して、光放出部に向かって光を放出する発光部とを含む衣類処理装置のコントロールパネルの制御方法において、電源入力部を介して衣類処理装置に電源供給命令が入力されるステップと、電源が入力されると、複数個の発光部のそれぞれに供給される電流のデューティサイクルを、ターゲット発光部のデューティサイクルとバックグラウンド発光部のデューティサイクルとで制御して、ターゲット発光部がバックグラウンドの発光部に比べてさらに明るく発光するように制御するステップと、を含む衣類処理装置のコントロールパネルの制御方法を提供する。【選択図】図５
2014200688.tif 000002
【特許請求の範囲】
【請求項１】
外観を形成するパネルボディーと、前記パネルボディーに設けられた光放出部と、前記光放出部の下部に位置して、前記光放出部に向かって光を放出する複数個の発光部とを含む衣類処理装置のコントロールパネルの制御方法において、
電源入力部を介して前記衣類処理装置に電源供給命令が入力されるステップと、
電源が入力されると、前記複数個の発光部のそれぞれに供給される電流のデューティサイクルを、ターゲット発光部のデューティサイクルとバックグラウンド発光部のデューティサイクルとで制御して、ターゲット発光部がバックグラウンドの発光部に比べてさらに明るく発光するように制御するステップと、を含む、衣類処理装置のコントロールパネルの制御方法。
【請求項２】
前記複数個の発光部に同一の大きさの電流を供給し、前記ターゲット発光部のデューティサイクルが、前記バックグラウンド発光部のデューティサイクルよりも大きくなるように制御することを特徴とする、請求項１に記載の衣類処理装置のコントロールパネルの制御方法。
【請求項３】
前記ターゲット発光部のデューティサイクルは、前記バックグラウンド発光部のデューティサイクルよりも４倍大きいことを特徴とする、請求項２に記載の衣類処理装置のコントロールパネルの制御方法。
【請求項４】
前記複数個の発光部は、行列の形態で設けられ、スキャンラインを介して、それぞれの発光部列において同一の大きさの電流を一定の周期で受け、データラインを介して、特定の発光部が特定のスキャンラインから電流を受けるデューティサイクルが制御されることを特徴とする、請求項１ないし３のいずれか一項に記載の衣類処理装置のコントロールパネルの制御方法。
【請求項５】
タイマーを通じて、スキャンラインが供給する電流の供給時間が制御されることを特徴とする、請求項４に記載の衣類処理装置のコントロールパネルの制御方法。
【請求項６】
前記タイマーを通じて、複数個のスキャンラインに電流が同時に供給されずに、一定の周期によってそれぞれのスキャンラインに電流が供給されることを特徴とする、請求項５に記載の衣類処理装置のコントロールパネルの制御方法。
【請求項７】
前記タイマーは、複数個の電流供給時間によって前記スキャンラインに電流を供給することを特徴とする、請求項５に記載の衣類処理装置のコントロールパネルの制御方法。
【請求項８】
前記複数個の電流供給時間は、１ｍｓ、８７５μｓ、７５０μｓ、６２５μｓ、５００μｓ、３７５μｓ、２５０μｓ、及び１２５μｓのいずれか一つであることを特徴とする、請求項７に記載の衣類処理装置のコントロールパネルの制御方法。
【請求項９】
前記コントロールパネルは、入力部を介して入力される制御命令に応じて前記衣類処理装置を作動させるコントローラを含み、
前記コントローラは、前記データラインを介して、特定の発光部が特定のスキャンラインと連結されるようにする信号をそれぞれの発光部に伝送することを特徴とする、請求項４に記載の衣類処理装置のコントロールパネルの制御方法。
【請求項１０】
前記コントローラは、
前記データラインを介して、前記ターゲット発光部に、前記ターゲット発光部のデューティサイクルで前記スキャンラインと連結及び分離させる信号を伝送し、
前記データラインを介して、前記ターゲット発光部を除外したバックグラウンド発光部に、前記バックグラウンド発光部のデューティサイクルで前記スキャンラインと連結及び分離させる信号を伝送することを特徴とする、請求項８に記載の衣類処理装置のコントロールパネルの制御方法。
【請求項１１】
前記ターゲット発光部は既に設定されていることを特徴とする、請求項４に記載の衣類処理装置のコントロールパネルの制御方法。
【請求項１２】
前記ターゲット発光部は、使用者の入力部による選択を通じて設定されることを特徴とする、請求項４に記載の衣類処理装置のコントロールパネルの制御方法。
【請求項１３】
前記ターゲット発光部は、最も明るいレベルで発光するように制御され、前記バックグラウンド発光部は、最も暗いレベルで発光するように制御されることを特徴とする、請求項４に記載の衣類処理装置のコントロールパネルの制御方法。
【請求項１４】
前記電源が入力されると、前記バックグラウンド発光部は、最も暗いレベルで発光するように制御され、使用者の入力部による選択を通じて設定されるターゲット発光部は、最も明るいレベルで発光するように制御されることを特徴とする、請求項１３に記載の衣類処理装置のコントロールパネルの制御方法。
【請求項１５】
前記電源が入力されると、前記ターゲット発光部及びバックグラウンド発光部は複数の段階を経て徐々に明るくなった後、前記ターゲット発光部は、最も明るいレベルの状態で発光を維持し、前記バックグラウンド発光部は、徐々に暗くなって最も暗いレベルの状態で発光を維持することを特徴とする、請求項１３に記載の衣類処理装置のコントロールパネルの制御方法。
【請求項１６】
前記電源が入力されると、前記ターゲット発光部及びバックグラウンド発光部が最も明るいレベルの状態に明るくなった後、前記ターゲット発光部は、最も明るいレベルの状態で発光を維持し、前記バックグラウンド発光部は、徐々に暗くなって最も暗いレベルの状態で発光を維持することを特徴とする、請求項１３に記載の衣類処理装置のコントロールパネルの制御方法。
【請求項１７】
前記光放出部は、入力部を介して使用者が選択できる制御命令を前記パネルボディーに表示し、前記入力部を介して選択された制御命令に該当する発光部が、前記ターゲット発光部のデューティサイクルで制御されることを特徴とする、請求項４に記載の衣類処理装置のコントロールパネルの制御方法。
【請求項１８】
外観を形成するパネルボディーと、使用者が認識可能な文字、数字または記号の形状に前記パネルボディーに設けられた光放出部と、前記光放出部の下部に位置して、前記光放出部に向かって光を放出する複数個の発光部と、前記発光部の明るさを制御する制御部とを含む衣類処理装置のコントロールパネルにおいて、
前記制御部は、前記複数個の発光部のそれぞれに供給される電流のデューティサイクルを、ターゲット発光部のデューティサイクルとバックグラウンド発光部のデューティサイクルとで制御して、ターゲット発光部がバックグラウンド発光部に比べてさらに明るく発光するように制御することを特徴とする、衣類処理装置のコントロールパネル。
【請求項１９】
前記制御部は、
コントローラと、
電流が供給されるスキャンラインと、
前記スキャンラインと前記コントローラとを連結し、前記スキャンラインに一定の量の電流を既に設定された周期によって供給するようにするタイマーと、
前記コントローラが提供するデューティサイクルに基づいて、前記スキャンラインから供給される電流を前記発光部に供給するデータラインと、を含むことを特徴とする、請求項１８に記載の衣類処理装置のコントロールパネル。
【請求項２０】
前記複数個の発光部は、行列の形態で設けられ、前記スキャンラインを介して、それぞれの発光部列において同一の大きさの電流を一定の周期で受け、前記データラインを介して、特定の発光部が特定のスキャンラインから電流を受けるデューティサイクルが制御されることを特徴とする、請求項１８に記載の衣類処理装置のコントロールパネル。
【発明の詳細な説明】
【技術分野】
【０００１】
本発明は、機器の制御のために機器に設けられるコントロールパネルに係り、より具体的には、家電製品、特に衣類処理装置のコントロールパネル及びその制御方法に関する。また、本発明は、コントロールパネルを有する衣類処理装置及びその制御方法に関する。
【背景技術】
【０００２】
一般に、衣類処理装置は、洗剤の乳化作用、パルセータ（またはドラム）の回転による水流の摩擦力及び衝撃力などを用いて、衣服及び寝具など（洗濯対象）に付着した各種汚染物質を除去する機器である。
【０００３】
また、衣類処理装置は、洗濯対象の洗濯だけでなく、洗濯対象の乾燥、洗濯対象の洗濯及び乾燥が可能な家電機器を含む概念である。
【０００４】
一方、従来の衣類処理装置は、衣類処理装置の外観を形成するキャビネットに、衣類処理装置に洗濯コースのような制御命令を入力するためのコントロールパネルが設けられている。
【０００５】
コントロールパネルには、電源供給、コース選択及び選択されたコースの実行と中止を命令するためにボタン（物理的形態のボタン）として設けられる入力部と、入力部を介して入力された制御命令や洗濯対象物の洗濯過程を表示する表示部とが設けられている。
【発明の概要】
【発明が解決しようとする課題】
【０００６】
本発明の一実施例を通じて、使用者の生体電流を用いて制御命令の入力が可能なコントロールパネル、及び該コントロールパネルが設けられた衣類処理装置を提供しようとする。
【０００７】
本発明の一実施例を通じて、二つ以上の入力部を介して生体電流が入力されても、使用者の意図に反して衣類処理装置が作動することを防止できるコントロールパネル、該コントロールパネルが設けられた衣類処理装置及びその制御方法を提供しようとする。
【０００８】
本発明の一実施例を通じて、電流が供給される時間を通じて発光部の明るさの制御が可能なコントロールパネル、該コントロールパネルが設けられた衣類処理装置及びその制御方法を提供しようとする。
【０００９】
本発明の一実施例を通じて、衣類処理装置に電源供給信号が入力されるとき、多数の発光部が様々なパターンで光を放出するコントロールパネル、該コントロールパネルが設けられた衣類処理装置及びその制御方法を提供しようとする。
【００１０】
本発明の一実施例を通じて、ターゲット発光部の明るさとバックグラウンド発光部の明るさとを異なるようにして、使用者が、ターゲット発光部が表示するコースなどが選択されたことを明確に認識できるコントロールパネル、該コントロールパネルが設けられた衣類処理装置及びその制御方法を提供しようとする。
【００１１】
本発明の一実施例を通じて、電源が入力されると、光放出部に向かって光を放出する発光部の明るさを異なるようにして、光放出部で表示する制御命令が既に設定されているか否か、または選択されたか否かを明確に把握できるコントロールパネル、該コントロールパネルが設けられた衣類処理装置及びその制御方法を提供しようとする。
【００１２】
本発明の一実施例を通じて、電源が入力された後、発光部の初期発光パターンを多様に具現して、製品の満足度を増進させることができるコントロールパネル、該コントロールパネルが設けられた衣類処理装置及びその制御方法を提供しようとする。
【課題を解決するための手段】
【００１３】
上述した課題を解決するために、本発明の一実施例によれば、外観を形成するパネルボディーと、使用者が認識可能な形状に前記パネルボディーに設けられた光放出部と、前記光放出部の下部に位置して、前記光放出部に向かって光を放出させる発光部と、前記発光部に供給される電流の供給時間を制御して、前記発光部の明るさを制御する制御部と、が備えられたコントロールパネルを提供することができる。
【００１４】
前記制御部は、コントローラと、電流が供給される第１回路（スキャンライン）と、前記第１回路と前記コントローラとを連結し、前記第１回路に一定の量の電流が既に設定された周期によって供給されるようにするタイマーと、前記コントローラが提供するデューティサイクル（Ｄｕｔｙ  Ｃｙｃｌｅ）に基づいて、前記第１回路から供給される電流を前記発光部に供給する第２回路（データライン）と、を含むことができる。
【００１５】
上述した課題を解決するために、本発明の一実施例によれば、外観を形成するパネルボディーと、前記パネルボディーに設けられた光放出部と、前記光放出部の下部に位置して、前記光放出部に向かって光を放出する複数個の発光部とを含む衣類処理装置のコントロールパネルの制御方法において、電源入力部を介して前記衣類処理装置に電源供給命令が入力されるステップと、電源が入力されると、前記複数個の発光部のそれぞれに供給される電流のデューティサイクルを、ターゲット発光部のデューティサイクルとバックグラウンド発光部のデューティサイクルとで制御して、ターゲット発光部がバックグラウンド発光部に比べてさらに明るく発光するように制御するステップと、を含む衣類処理装置のコントロールパネルの制御方法を提供することができる。
【００１６】
すなわち、ターゲット発光部だけでなくバックグラウンド発光部も発光させ、明るさが互いに異なるように制御することができる。
【００１７】
前記複数個の発光部に同一の大きさの電流を供給し、前記ターゲット発光部のデューティサイクルが、前記バックグラウンド発光部のデューティサイクルより大きくなるように制御することが好ましい。すなわち、電流の大きさを可変させずに、電流を印加するサイクルを異なるようにして、これを通じて明るさの差が発生するように制御することが好ましい。
【００１８】
前記ターゲット発光部のデューティサイクルは、前記バックグラウンド発光部のデューティサイクルよりも４倍大きいことが好ましい。例えば、ターゲット発光部のデューティサイクルが１ｍｓ／８ｍｓ（１ｍｓ=１０００ｓｅｃｏｎｄｓ）であり、バックグラウンド発光部のデューティサイクルは０．５ｍｓ／１６ｍｓであってもよい。
【００１９】
前記複数個の発光部は、行列の形態で設けられ、スキャンラインを介して、それぞれの発光部列（ｃｏｌｕｍｎ）において同一の大きさの電流を一定の周期で受け、データラインを介して、特定の発光部が特定のスキャンラインから電流を受けるデューティサイクルが制御されることが好ましい。
【００２０】
前記発光部の制御のためにタイマーを設けることができる。
【００２１】
具体的に、前記タイマーを通じて、スキャンラインが供給する電流の供給時間を制御することができる。また、前記タイマーを通じて、複数個のスキャンラインに電流が同時に供給されずに、一定の周期によってそれぞれのスキャンラインに電流を供給することができる。
【００２２】
前記タイマーは、複数個の電流供給時間によって前記スキャンラインに電流を供給することができる。前記複数個の電流供給時間は、１ｍｓ、８７５μｓ、７５０μｓ、６２５μｓ、５００μｓ、３７５μｓ、２５０μｓ、及び１２５μｓのいずれか一つであってもよい。したがって、電流供給時間が大きくなるほど、発光部の明るさが明るくなる。したがって、８個の電流供給時間を選択できるので、８個の明るさレベルを具現することができる。
【００２３】
入力部を介して入力される制御命令に応じて前記衣類処理装置を作動させるコントローラを含み、前記コントローラは、前記データラインを介して、特定の発光部が特定のスキャンラインと連結されるようにする信号をそれぞれの発光部に伝送することができる。
【００２４】
前記コントローラは、前記データラインを介して、前記ターゲット発光部に、前記ターゲット発光部のデューティサイクルで前記スキャンラインと連結及び分離させる信号を伝送し、前記データラインを介して、前記ターゲット発光部を除外したバックグラウンド発光部に、前記バックグラウンド発光部のデューティサイクルで前記スキャンラインと連結及び分離させる信号を伝送することができる。
【００２５】
前記ターゲット発光部は既に設定されていてもよい。したがって、前記既に設定されたターゲット発光部に対応する光放出部を通じて、使用者は、既に設定された制御命令を容易に把握することができる。例えば、電源が印加された後、ターゲット発光部によってさらに明るく表示される制御命令を通じて、使用者は、既に設定された制御命令を容易に把握することができる。
【００２６】
前記ターゲット発光部は、使用者の入力部による選択を通じて設定されてもよい。設定されたターゲット発光部は、バックグラウンド発光部よりもさらに明るく発光する。したがって、使用者は、ターゲット発光部に対応する制御命令が設定されたことを明確に把握することができる。
【００２７】
前記ターゲット発光部は、最も明るいレベルで発光するように制御され、前記バックグラウンド発光部は、最も暗いレベルで発光するように制御されることが好ましい。したがって、両者の差を使用者が直観的に容易に把握することができる。
【００２８】
前記コントロールパネルは、黒色のような無彩色のパネルボディーを有することが好ましい。すなわち、パネルボディーの表面を黒色のような無彩色でコーティングまたは彩色することが好ましい。したがって、発光部が発光しない場合、例えば、電源が印加されていない場合、前記光放出部に表示された記号、文字または図形などを使用者が認識しにくくなる。これは、使用者がブラックディスプレイを連想するようにするためである。特に、使用者が光放出部からブラックディスプレイを連想するようにするためである。したがって、外観が非常に美麗で且つミニマルなデザインを具現することが可能になる。
【００２９】
なお、電源が印加されると、前記光放出部に表示された記号、文字または図形などを認識できるようにすることが好ましい。前記光放出部には複数個の制御命令が表示されている。したがって、複数個の制御命令のうち選択された命令と、選択されなかった命令とを明確に区分する必要がある。そのために、ターゲット発光部だけでなくバックグラウンド発光部も発光するように制御することがさらに好ましい。
【００３０】
前記電源が入力されると、前記バックグラウンド発光部は、最も暗いレベルで発光するように制御し、使用者の入力部による選択を通じて設定されるターゲット発光部は、最も明るいレベルで発光するように制御することができる。したがって、ターゲット発光部に対応する制御命令だけでなく、バックグラウンド発光部に対応する制御命令を容易に認識することができる。勿論、明るさの差を通じて、選択された制御命令及び選択可能な制御命令を使用者がより明確に把握することができる。
【００３１】
前記電源が入力されると、前記ターゲット発光部及びバックグラウンド発光部は複数の段階を経て徐々に明るくなった後、前記ターゲット発光部は、最も明るいレベルの状態で発光を維持し、前記バックグラウンド発光部は、徐々に暗くなって最も暗いレベルの状態で発光を維持することができる。このような発光部の制御を通じて、単純な制御命令の表示及び選択のためのコントロールパネルではなく、使用者に面白さを提供し得るコントロールパネルを提供できるようになる。
【００３２】
前記電源が入力されると、前記ターゲット発光部及びバックグラウンド発光部が最も明るいレベルの状態に明るくなった後、前記ターゲット発光部は、最も明るいレベルの状態で発光を維持し、前記バックグラウンド発光部は、徐々に暗くなって最も暗いレベルの状態で発光を維持することができる。このような発光部の制御を通じて、単純な制御命令の表示及び選択のためのコントロールパネルではなく、使用者に面白さを提供し得るコントロールパネルを提供できるようになる。
【００３３】
前記光放出部は、入力部を介して使用者が選択できる制御命令を前記パネルボディーに表示し、前記入力部を介して選択された制御命令に該当する発光部が、前記ターゲット発光部のデューティサイクルで制御されることが好ましい。したがって、使用者は、入力部を介して選択された制御命令をより明確に認識することができる。
【００３４】
上述した課題を解決するために、本発明の一実施例によれば、外観を形成するパネルボディーと、使用者が認識可能な文字、数字または記号の形状に前記パネルボディーに設けられた光放出部と、前記光放出部の下部に位置して、前記光放出部に向かって光を放出する複数個の発光部と、前記発光部の明るさを制御する制御部とを含む衣類処理装置のコントロールパネルにおいて、前記制御部は、前記複数個の発光部のそれぞれに供給される電流のデューティサイクルを、ターゲット発光部のデューティサイクルとバックグラウンド発光部のデューティサイクルとで制御して、ターゲット発光部が、バックグラウンド発光部に比べてさらに明るく発光するように制御することを特徴とする衣類処理装置のコントロールパネルを提供することができる。
【００３５】
前記制御部は、コントローラと、電流が供給されるスキャンラインと、前記スキャンラインと前記コントローラとを連結し、前記スキャンラインに一定の量の電流を既に設定された周期によって供給するようにするタイマーと、前記コントローラが提供するデューティサイクルに基づいて、前記スキャンラインから供給される電流を前記発光部に供給するデータラインと、を含むことを特徴とする衣類処理装置のコントロールパネルを提供することができる。
【００３６】
前記複数個の発光部は、行列の形態で設けられ、前記スキャンラインを介して、それぞれの発光部列において同一の大きさの電流を一定の周期で受け、前記データラインを介して、特定の発光部が特定のスキャンラインから電流を受けるデューティサイクルが制御されることが好ましい。
【発明の効果】
【００３７】
本発明の一実施例を通じて、使用者の生体電流を用いて制御命令の入力が可能なコントロールパネル及び該コントロールパネルが設けられた衣類処理装置を提供する効果を図ることができる。
【００３８】
本発明の一実施例を通じて、二つ以上の入力部を介して生体電流が入力されても、使用者の意図に反して衣類処理装置が作動されることを防止するコントロールパネル及び該コントロールパネルが設けられた衣類処理装置を提供する効果を図ることができる。
【００３９】
本発明の一実施例を通じて、電流が供給される時間を通じて発光部の明るさの制御が可能なコントロールパネル及び該コントロールパネルが設けられた衣類処理装置を提供する効果を図ることができる。
【００４０】
本発明の一実施例を通じて、衣類処理装置に電源供給信号が入力されるとき、多数の発光部が様々なパターンで光を放出するコントロールパネル及び該コントロールパネルが設けられた衣類処理装置を提供する効果を図ることができる。
【００４１】
本発明の一実施例を通じて、ターゲット発光部の明るさとバックグラウンド発光部の明さとを異なるようにして、使用者が、ターゲット発光部が表示するコースなどが選択されたことを明確に認識できるコントロールパネル、該コントロールパネルが設けられた衣類処理装置及びその制御方法を提供する効果を図ることができる。
【００４２】
本発明の一実施例を通じて、電源が入力されると、光放出部に向かって光を放出する発光部の明るさを異なるようにして、光放出部で表示する制御命令が既に設定されているか否か、または選択されたか否かを明確に把握できるコントロールパネル、該コントロールパネルが設けられた衣類処理装置及びその制御方法を提供する効果を図ることができる。
【００４３】
本発明の一実施例を通じて、電源が入力された後、発光部の初期発光パターンを多様に具現して、製品の満足度を増進させることができるコントロールパネル、該コントロールパネルが設けられた衣類処理装置及びその制御方法を提供する効果を図ることができる。
本発明に関する理解を助けるために詳細な説明の一部として含まれる添付の図面は、本発明の実施例を提供し、詳細な説明と共に本発明の技術的思想を説明する。
【図面の簡単な説明】
【００４４】
【図１】本発明の一実施例に係るコントロールパネルが設けられた衣類処理装置を示す図である。
【図２】本発明の一実施例に係るコントロールパネルが設けられた衣類処理装置を示す図である。
【図３】本発明の一実施例に係るコントロールパネルの分解斜視図である。
【図４】図３に示したコントロールパネルに設けられた制御部のブロック図と電流供給周期及び電流供給時間を示すグラフである。
【図５】図３に示したコントロールパネルの作動過程に対する一例を示す図である。
【図６Ａ】図３に示したコントロールパネルの作動過程に対する一例を示す図である。
【図６Ｂ】図３に示したコントロールパネルの作動過程に対する一例を示す図である。
【図７Ａ】図３に示したコントロールパネルの作動過程に対する一例を示す図である。
【図７Ｂ】図３に示したコントロールパネルの作動過程に対する一例を示す図である。
【図８Ａ】図３に示したコントロールパネルの作動過程に対する一例を示す図である。
【図８Ｂ】図３に示したコントロールパネルの作動過程に対する一例を示す図である。
【図８Ｃ】図３に示したコントロールパネルの作動過程に対する一例を示す図である。
【発明を実施するための形態】
【００４５】
以下では、添付の図面を参照して、本発明の好ましい実施例について詳細に説明する。
【００４６】
特に定義がない限り、本明細書の全ての用語は、本発明の属する技術分野における通常の技術者が理解する当該用語の一般的な意味と同一であり、仮に、本明細書に使用された用語が当該用語の一般的な意味と衝突する場合には、本明細書に使用された定義に従う。
【００４７】
一方、以下に記述する装置の構成や制御方法は、本発明の実施例を説明するためのものに過ぎず、本発明の権利範囲を限定するためではない。明細書全般にわたって同一に使用された参照番号は同一の構成要素を示す。
【００４８】
図１に示すように、衣類処理装置１００は、外観を形成するキャビネット１と、キャビネット１の内部に設けられ、衣類が収容される衣類収容部２と、キャビネット１に設けられ、使用者が衣類処理装置１００に制御命令を入力するコントロールパネルＣＰと、を含むことができる。
【００４９】
キャビネット１は、上部面が開放された六面体形状のキャビネットボディー１１と、キャビネットボディーの開放面に設けられたカバー１２とを含むことができる。
【００５０】
カバー１２には投入口１２１が設けられ、使用者は、投入口１２１を介して衣類収容部２に衣類を投入したり、または衣類収容部２から衣類を取り出したりすることができる。投入口１２１は、カバー１２に回転可能に結合されたドア１３によって開閉可能である。
【００５１】
図２に示すように、衣類収容部２は、キャビネット１の内部に設けられ、洗濯水が貯水されるタブ２１（またはアウタータブ）と、タブの内部に回転可能に設けられ、衣類が収容されるドラム２３（またはインナータブ）とを備えることができる。
【００５２】
タブ２１は、キャビネット１の内周面とタブ２１の外周面とを連結するタブ支持部２５によってキャビネット１の内部に固定され、タブ支持部２５は、タブ２１に発生した振動を吸収できる構造（スプリングやダンパーなど）として備えることが好ましい。
【００５３】
タブ２１は給水部（図示せず）を介して洗濯水が供給され、タブ２１の内部の洗濯水は排水部（図示せず）を介してタブ２１の外部に排出することができる。
【００５４】
給水部（図示せず）は、衣類処理装置１００の外部に設けられた給水源（図示せず）とタブ２１とを連結する給水ホース（図示せず）と、制御部によって給水ホースを開閉する給水弁（図示せず）とを備えることができる。
【００５５】
排水部（図示せず）は、タブ２１の内部をキャビネット１の外部と連通させる排水ホース（図示せず）と、排水ホースに設けられた排水ポンプ（図示せず）とを備えることができる。
【００５６】
ドラム２３には、タブ２１に貯水された洗濯水をドラム２３に流入させたり、またはドラム２３の内部の洗濯水をタブ２１に排出させたりする多数の貫通孔が設けられ、ドラム２３は、モータのような駆動部３によって回転する。
【００５７】
駆動部３は、タブ２１の外部に固定されるステータ３３と、タブ２１の外部に位置し、ステータ３３と電磁気的作用によって回転するロータ３１と、ロータ３１とドラム２３とを連結する回転軸３５と、を備えることができる。
【００５８】
この場合、回転軸３５は、タブ２１の底面を貫通してドラム２３の底面に固定され、タブ２１には、回転軸３５を回転可能に支持すると共に、タブ２１の内部の洗濯水が漏れることを防止するベアリングアセンブリをさらに備えることができる。
【００５９】
図３に示すように、コントロールパネルＣＰには、キャビネット１の表面（すなわち、カバー１２の上部面またはカバーの前方面）などに設けられたパネルボディー４と、キャビネットの内部に固定され、パネルボディー４の下部に位置する制御部５と、制御部５に使用者が入力する制御命令を伝達する入力部６と、を備えることができる。
【００６０】
パネルボディー４はプレートとして備えることができ、パネルボディー４には透明ウィンドウ４１及び光放出部４３（ｌｉｇｈｔ  ｅｍｉｓｓｉｏｎ  ｐａｒｔ）を備えることができる。
【００６１】
パネルボディー４は、カバー１２の表面と並ぶ平面を形成するようにカバー１２を貫通して設けられたホールに挿入して設けてもよく、カバー１２の表面に透明ウィンドウ４１及び光放出部４３を形成することによって設けてもよい。
【００６２】
透明ウィンドウ４１は、使用者がパネルボディー４の下部に位置した物体を確認できれば、いかなる形態であってもよく、パネルボディー４の一部を透明材質にすることによって形成することができる。
【００６３】
光放出部４３は、後述する発光部５７が放出する光がパネルボディー４を通過できるように、パネルボディー４の表面に設けられる。光放出部４３は、使用者が認識可能な文字、数字、記号などの形状を有することができる。
【００６４】
光放出部４３が、使用者が認識可能な文字、数字、記号などの形状に設けられると、光放出部４３は、入力部６を通じて使用者が選択できる制御命令（コース、給水量、ドラムの回転時間、給水温度、ドラムの回転速度など）をパネルボディー４に表示する制御命令表示部として機能するようになる。したがって、発光部が放出する光によって、光放出部が表示する制御命令を使用者が明確に認識することができる。
【００６５】
光放出部４３１〜４３８は、衣類処理装置１００が実行可能な制御命令（洗濯コース、乾燥コースなど）のうち使用者が選択可能な制御命令がパネルボディー４に全て表示されるようにする役割を果たすだけでなく、特定のコースに既に設定されている制御命令（給水量、ドラムの回転時間、給水温度、ドラムの回転速度など）のうち使用者が変更可能な制御命令もパネルボディー４に全て表示する手段であってもよい。
【００６６】
但し、光放出部４３は、後述する発光部５７が光を放出する間、上述した機能を行うことができるように設けることができる。すなわち、発光部が光を放出する間、制御命令の表示及び選択が可能である。
【００６７】
パネルボディー４の表面は無彩色や有彩色物質でコーティングまたは彩色することができる。そして、コーティングまたは彩色は、パネルボディー４の領域のうち、光放出部４３を通じて表示しようとする文字や記号などが位置する領域を除外した残りの領域にのみ形成することができる。
【００６８】
特に、パネルボディー４が黒色のような無彩色でコーティング（または彩色）されると、発光部５７が光を放出しない限り、使用者はパネルボディー４において光放出部４３を認識できない。コントロールパネルＣＰの内部は暗い状態を維持するので、これを通じて、使用者はコントロールパネルＣＰのデザインがシンプルで且つ洗練されたと感じることができる。
【００６９】
すなわち、発光部５７が発光しない時には、光放出部の文字や記号だけでなくパネルボディー４全体が黒色を有するようになる。すなわち、ブラックディスプレイパネルのように認識できる。発光部５７が発光してはじめて使用者は光放出部の文字や記号を容易に認識できるようになる。
【００７０】
一方、光放出部４３は、入力部６の個数と同一の個数設けてもよく、入力部６の個数と同一の個数の列（ｃｏｌｕｍｎ）を形成するように設けてもよい。そして、いずれか一つの入力部６に該当する列（ｃｏｌｕｍｎ）は複数個の光放出部を有するように設けることができる。
【００７１】
図３は、光放出部４３の一部は、入力部の個数と同一の個数の列（ｃｏｌｕｍｎ）を形成するように設けられ、光放出部４３の残りの一部は、入力部の個数と同一の個数設けられた場合を一例として示している。
【００７２】
すなわち、図３は、パネルボディー４の長手方向（Ｘ軸方向）に沿って設けられる６個の入力部（６ａ乃至６ｆ）、及びパネルボディー４の高さ方向（Ｙ軸方向）に沿って設けられる２個の入力部列（入力部第１列６Ｘ、入力部第２列６Ｙ）が設けられたコントロールパネルＣＰを一例として示している。したがって、いずれか一つの入力部（６ａ乃至６ｆ）に複数個の光放出部が対応することができ、いずれか一つの入力部（６ｉ乃至６ｌ）のそれぞれに、いずれか一つの光放出部が対応することができる。
【００７３】
この場合、光放出部４３は、８個の放出部列（放出部第１列４３１、放出部第２列４３２、放出部第３列４３３、放出部第４列４３４、放出部第５列４３５、放出部第６列４３６、放出部第７列４３７、放出部第８列４３８）を含むようになる。
【００７４】
上述した放出部列の個数は、一例に過ぎず、必要に応じて、増加してもよく、または減少してもよい。以下では、説明の便宜のために、８個の放出部列が設けられたコントロールパネルを基準に説明する。
【００７５】
制御部５は、入力部６を介して入力される制御命令に応じて衣類処理装置１００を作動させるコントローラ５３が設けられたＰＣＢ５１と、ＰＣＢに固定されて、コントローラ５３によって制御され、透明ウィンドウ４１の下部に位置する表示部５５と、ＰＣＢに固定されて、光放出部４３の下部に位置する発光部５７（ＬＥＤなど）と、を含むことができる。
【００７６】
表示部５５は、衣類処理装置１００の動作情報を表示する手段であって、動作情報は、入力部６を介して使用者が選択したコース（洗濯コース、乾燥コースなど）に設定された時間、使用者が選択したコースの残余時間などのように、使用者が選択したコースと関連した情報を一例とすることができる。
【００７７】
発光部５７は、光放出部４３の下部から光放出部に向かって光を放出することで、使用者が光放出部４３が表示する文字、数字または記号を容易に認識できるようにする手段である。
【００７８】
発光部５７の個数は、光放出部４３の個数と同一の個数設けることが好ましい。すなわち、いずれか一つの発光部５７と、いずれか一つの光放出部４３とは一対一に対応するようにすることが好ましい。
【００７９】
したがって、発光部５７は、光放出部４３が形成する列の個数と同一の個数の列（ｃｏｌｕｍｎ）を形成するようになる。光放出部４３が８個の列（４３１〜４３８）からなる場合、発光部５７も８個の発光部列（発光部第１列５７１、発光部第２列５７２、発光部第３列５７３、発光部第４列５７４、発光部第５列５７５、発光部第６列５７６、発光部第７列５７７、発光部第８列５７８）からなる。
【００８０】
但し、光放出部４３の長さ（Ｘ軸方向の光放出部の長さ）や高さ（Ｙ軸方向の光放出部の長さ）が長い場合、発光部５７は、一つの光放出部の下部に二つ以上設けてもよい。図３には、一例として、コース入力部６ａ，６ｂに対応する光放出部のそれぞれの下部に二つの発光部が設けられ、脱水入力部６ｃに対応する光放出部のそれぞれの下部に一つの発光部が設けられた場合を示している。
【００８１】
この場合、発光部５７は、入力部６ａ〜６ｆの個数と同一の個数の列（ｃｌｏｕｍｎ）を形成するように設けられることが好ましい。一つの発光部列（５７１，５７２，５７５，５７６）が一つの入力部（６ａ，６ｂ，６ｅ，６ｆ）を介して制御されるようにするためである。
【００８２】
さらに、発光部５７は、ＰＣＢ５１に固定された発光部ハウジング５９によって支持されるように設けることができる。
【００８３】
発光部ハウジング５９には、発光部ハウジング５９を貫通するように設けられ、発光部５７の外周面を取り囲む多数の収容孔５９１を設けることができる。収容孔５９１は、発光部の上端と同一であるか、または発光部の上端よりも高い位置までＰＣＢから延設することができる。
【００８４】
発光部５７が収容孔５９１に挿入されてＰＣＢに結合されると、特定の発光部５７から放出された光は、特定の発光部５７の上部に位置した光放出部４３にのみ供給されるので、視認性（ｖｉｓｉｂｉｌｉｔｙ）を向上させる効果を期待することができる。
【００８５】
すなわち、光を放出する発光部５７の上部に位置した光放出部４３以外の光放出部に光が放出されることを最小化することが可能である。
【００８６】
入力部６は、パネルボディー４の長手方向（Ｘ軸方向）に沿って設けられる８個の入力部として設けることができる。
【００８７】
但し、図３は、入力部６の配置を通じてコントロールパネルＣＰが様々な形態のデザインを有するように変形可能であることを知らせるために、パネルボディーの長手方向に沿って設けられる６個の入力部６ａ〜６ｆ、及びパネルボディー４の高さ方向（Ｙ軸方向）に沿って設けられる２個の入力部列６Ｘ，６Ｙが備えられた場合を示している。
【００８８】
この場合、入力部第１列６Ｘは、パネルボディー４の高さ方向に沿って配置された２つ以上の入力部６ｇ，６ｈ，６ｉによって形成され、入力部第２列６Ｙは、パネルボディー４の高さ方向に沿って配置される２つ以上の入力部６ｊ，６ｋ，６ｌによって形成されてもよい。
【００８９】
以下では、説明の便宜のため、パネルボディー４の長手方向に沿って設けられる６個の入力部６ａ〜６ｆと、パネルボディー４の高さ方向に沿って設けられる２個の入力部列６Ｘ，６Ｙとを備えたコントロールパネルＣＰを基準に本発明の一実施例について説明する。
【００９０】
上述した各入力部６ａ〜６ｌは、同一の構造で設けることができる。
【００９１】
すなわち、各入力部６ａ〜６ｌは、パネルボディー４の表面に設けられ、使用者の生体電流（ｂｉｏｅｌｅｃｔｒｉｃ  ｃｕｒｒｅｎｔｓ）が入力される接触部６１と、コントローラ５３と電気的に接続され、ＰＣＢ５１に固定されるバー（ｂａｒ）６５と、バー６５と接触部６１とを電気的に接続する連結ダンパー６７と、を備えることができる。
【００９２】
バー６５は、伝導体として備えて、ＰＣＢ５１に固定され、接触部６１の下部に位置する。
【００９３】
接触部６１は、連結ダンパー６７に使用者の生体電流を伝達できれば、いかなる材質であってもよい。すなわち、接触部６１は、パネルボディー４を貫通するように設けられる伝導体として備えてもよく、薄い厚さを有する絶縁体として備えてもよい。
【００９４】
薄い厚さを有する絶縁体は、電気の伝導を完全に遮断させる完全な絶縁体ではないため、一定の厚さ以下の絶縁体として接触部６１を備えても、使用者の生体電流が連結ダンパー６７に伝達可能であるからである。出願人は、厚さ２．７〜３．０ｍｍのプラスチックとして備えられた接触部６１を通じて、入力部６の機能が具現可能であることを確認した。
【００９５】
さらに、薄い厚さを有する絶縁体として接触部６１を備える場合、入力部６は、接触部６１の外周面を取り囲む閉曲線形態の境界部６３をさらに備えることができる。
【００９６】
境界部６３は、伝導体が接触部６１の外周面を取り囲むようにパネルボディー４の表面に固定されて設けられる。これは、使用者の生体電流が伝導体である境界部６３に集中されるようにすることによって、生体電流が接触部６１の外部に移動することを防止するためである。
【００９７】
連結ダンパー６７は、バー６５の上部に固定することができる。そして、連結ダンパー６７は、接触部６１とバー６５とを連結する伝導体６７１を備えることができる。
【００９８】
一方、連結ダンパー６７が伝導体６７１のみを備える場合、コントロールパネルの製作コストが増加し、コントロールパネルに衝撃が発生する場合に連結ダンパー６７が破損するという問題が発生し得る。
【００９９】
したがって、本発明に設けられた連結ダンパー６７は弾性体６７３をさらに含むことができる。この場合、弾性体６７３の外周面は、伝導体６７１によって取り囲まれるように設けることが好ましい。したがって、生体電流の伝達は伝導体６７１で行い、衝撃吸収は弾性体６７３で行うようになる。
【０１００】
図３に示すように、本発明の実施例に係るコントロールパネルＣＰには多数の入力部６ａ〜６l を設けることができる。パネルボディー４の長手方向に沿って設けられた入力部６ａ〜６ｆは、このような入力部６ａ〜６ｆと対応する位置の放出部列４３１〜４３６の下部の発光部５７を制御するように設けることができる。
【０１０１】
すなわち、本発明の一実施例は、ある発光部列に位置した一つの入力部が、一つの発光部列（５７１乃至５７８）を構成する多数の発光部をＯＮ−ＯＦＦ（ＯＮ：発光部が光を放出、ＯＦＦ：発光部が光を放出しない）させるか、またはＯＮ状態にある発光部の位置変更を制御する。
【０１０２】
この場合、コントローラ５３は、使用者の身体が入力部６に接触するごとに、発光部列５７１乃至５６７を構成する多数の発光部に電力を順次供給（一つの発光部のみが光を放出するようになる）することができる。
【０１０３】
また、コントローラは、使用者の身体が入力部６に接触するごとに、他の発光部に比べて明るい状態にある発光部の位置が順次移動するように発光部を制御することができる。
【０１０４】
一方、入力部第１列６Ｘを形成する入力部６ｇ〜６ｉ、及び入力部第２列６Ｙを形成する入力部６ｊ〜６ｌの個数は発光部の個数と同一であるので、コントローラ５３は、生体電流が感知される各入力部６ｇ〜６ｌの下部に位置した発光部５７のみを制御（発光部のＯＮ−ＯＦＦ、または発光部の明るさ）するように設けることができる。
【０１０５】
パネルボディー４には、駆動部３や制御部５のように電力の供給が必要な構成への電力の供給を制御する電源入力部８と、衣類処理装置９の作動を一時的に中断させたり、一時中断を解除させたりする一時停止入力部９とをさらに備えることができる。
【０１０６】
電源入力部８及び一時停止入力部９は、使用者が一定の圧力以上に押した時にのみ作動するプッシュボタン（ｐｕｓｈ  ｂｕｔｔｏｎ）として設けてもよく、上述した入力部６の構造と同一の構造であってもよい。
【０１０７】
後者の場合、電源入力部８及び一時停止入力部９は、パネルボディー４の表面に設けられ、使用者の生体電流（ｂｉｏｅｌｅｃｔｒｉｃ  ｃｕｒｒｅｎｔｓ）が入力される接触部８１，９１と、接触部８１，９１の外周面を取り囲む閉曲線形態の境界部８３，９３と、コントローラ５３と電気的に接続され、ＰＣＢ５１に固定されるバー８５，９５と、バー８５、９５と接触部８１，９１とを電気的に接続する連結ダンパー８７，９７と、を備えることができる。
【０１０８】
上述した構造を有するコントロールパネルＣＰは、複数個の入力部６，８，９に生体電流が同時に入力される場合、衣類処理装置１００に使用者の意思に反する制御命令が入力される可能性がある。
【０１０９】
すなわち、指以外の使用者の身体がパネルボディー４に接触して、複数個の入力部に生体電流が供給される場合、または使用者が制御命令を入力する意図なしに、パネルボディー４に手を接触させて複数個の入力部に生体電流が同時に供給される場合などで上述した問題が発生し得る。
【０１１０】
本発明は、上述した問題を解決するために、制御部５が次のような制御を行うように設けることができる。
【０１１１】
まず、制御部５は、入力部６，８，９を介して使用者の生体電流が入力されるか否かを持続的に判断するステップを行う。
【０１１２】
生体電流が入力部を介して入力されると、制御部５は、いくつの入力部を介して生体電流が入力されるかを判断する。
【０１１３】
一つの入力部を介して生体電流が入力されると、制御部５は、該当の入力部を介して入力された制御命令に応じて衣類処理装置を制御するようになる。
【０１１４】
すなわち、一つの入力部を介して生体電流が入力されると、制御部５は、衣類処理装置１００に電源を供給したり、または衣類処理装置の動作を一時中断させたり、または動作が一時中断された衣類処理装置を再作動させたり、または使用者が選択した制御命令を確認できるように発光部５７ないし表示部５５を制御するようになる。
【０１１５】
一方、２つ以上の入力部を介して生体電流が入力された場合であれば、制御部５は、生体電流の入力間隔が既に設定された基準間隔よりも大きいか否かを判断する。
【０１１６】
仮に、２つ以上の生体電流の入力間隔が基準間隔（時間）よりも大きいと、制御部５は、入力部を介して入力された各制御命令を順次実行するが、２つ以上の生体電流の入力間隔が基準間隔以下であれば、制御部５は、入力部を介して入力された制御命令を無視する。
【０１１７】
すなわち、２つ以上の生体電流の入力間隔が基準間隔以下であれば、制御部５は、衣類処理装置１００の現在状態を維持する。衣類処理装置１００が作動中であれば、制御部５は、衣類処理装置１００が現在実行中の制御命令を継続して行うようにし、衣類処理装置１００が作動していない状態であれば、制御部５は、衣類処理装置１００に電源が供給されないように衣類処理装置１００を制御する。
【０１１８】
従来、発光部（ＬＥＤなど）が設けられたコントロールパネルは、発光部に供給される電流量を制御して発光部の明るさを制御したが、本発明は、発光部５７のデューティサイクル（ｄｕｔｙ  ｃｙｃｌｅ）を制御して発光部５７の明るさを調節することが特徴である。
【０１１９】
デューティサイクルは、１周期に対する電流が供給された時間の比を意味する値（電流が供給された時間／（電流が供給された時間と電流が供給されていない時間との合計））であって、１周期は、発光部に電流が供給された時間と発光部に電流が供給されていない時間との合計を意味する。
【０１２０】
図４ａは、発光部のデューティサイクル（または発光部のＯＮ−ＯＦＦ周期）を制御することによって発光部５７の明るさの調節が可能な制御部５の一例を示す。
【０１２１】
ＰＣＢ５１に固定された発光部５７は、データライン（Ｄａｔａ  ｌｉｎｅ）ＤＴ１〜ＤＴｎ及びスキャンライン（Ｓｃａｎ  ｌｉｎｅ）ＳＣ１〜ＳＣ８を介してコントローラ５３に連結される。
【０１２２】
データラインＤＴ１〜ＤＴ３及びスキャンラインＳＣ１〜ＳＣ９は構造的に区別することができる。
【０１２３】
データラインＤＴ１〜ＤＴｎは、コントローラ５３に直接連結される反面、スキャンラインＳＣ１〜ＳＣ８は、タイマー５４を経てコントローラ５３に連結されるという点で異なる。そして、データラインＤＴ１〜ＤＴｎは、一つの行（ｒｏｗ）を形成する発光部５７がコントローラ５３の制御を受けるようにＰＣＢに設けられる反面、スキャンラインＳＣ１〜ＳＣ８は、一つの列（ｃｏｌｕｍｎ）を形成する発光部５７がコントローラ５３及びタイマー５４の制御を受けるようにＰＣＢに設けられるという点で異なる。
【０１２４】
機能的な観点から見ると、各スキャンラインＳＣ１〜ＳＣ８は、一定の大きさの電流を各発光部列５７１乃至５７８に向かって一定の周期で供給する手段である反面、データラインＤＴ１〜ＤＴ３は、特定の発光部５７が特定のスキャンラインから電流の供給を受ける時間を制御（デューティサイクル制御）することによって、特定の発光部５７が光を放出するようにする手段（特定の発光部をＯＮ−ＯＦＦさせる手段）であるという点で異なる。
【０１２５】
タイマー５４は、一つのスキャンラインが供給する電流（一定の大きさ）の供給時間を制御（電流供給周期を制御）する手段（図４（ｃ）参照）であるだけでなく、多数のスキャンラインが設けられた場合、全てのスキャンラインＳＣ１〜ＳＣ８に電流を同時に供給せずに、一定の周期によって各スキャンラインＳＣ１〜ＳＣ８に電流を供給する手段（図４（ｂ）参照、各スキャンラインに電流を一定の周期で供給する手段）であり得る。
【０１２６】
８個のスキャンラインが設けられる場合、タイマー５４は１／８の周期で各スキャンラインに電流を供給することができる。
【０１２７】
すなわち、図４（ｂ）に示すように、タイマー５４は、第１スキャンラインＳＣ１に１ｍｓの間電流を供給した後、７ｍｓが経過する間（第２スキャンラインＳＣ２から第８スキャンラインＳＣ８まで順次に１ｍｓの間電流を供給する時間の間）には電流の供給を受けない。
【０１２８】
一方、タイマー５４が最小１２５μｓ（ｍｉｃｒｏ  ｓｅｃｏｎｄ）の単位で電流供給時間を制御できれば、一つのスキャンラインに電流が供給される間、タイマー５４は、図４（ｃ）に示したような８個の電流供給時間によって一つのスキャンラインに電流を供給することができる。言い換えると、１／８の周期で電流を供給するとき、８個の供給時間のいずれか一つに基づいて電流を供給することができる。
【０１２９】
すなわち、第１スキャンラインＳＣ１が現在電流の供給を受けるスキャンラインであるとすると、タイマー５４は、第１スキャンラインＳＣ１を介して最小第１時間（１２５μｓ）の間電流を供給することもでき、最大第８時間（１ｍｓ）の間電流を供給することができる。
【０１３０】
上述した構造を有する制御部５が発光部５７の明るさを制御する過程は、次の通りである。
【０１３１】
タイマー５４は、設定された周期によって各スキャンラインに順次に電流を供給する。このとき、コントローラ５３は、データラインを介して特定の発光部が特定のスキャンラインと連結されるようにする信号を各発光部５７に伝送するようになる。
【０１３２】
例えば、タイマー５４は、スキャンラインＳＣ１〜ＳＣ８を介して、予め設定された周期（１／８：１ｍｓの間電流を供給し、７ｍｓの間電流を遮断）によって各発光部５７に同一の大きさの電流を供給する。
【０１３３】
このとき、コントローラ５３は、発光部第１列５７１、第２行にある発光部ＴＬ（ターゲット発光部）を１ｍｓの間スキャンラインと連結させ、７ｍｓの間スキャンラインと分離させる信号を、データラインＤＴ２を介してターゲット発光部に伝送する。
【０１３４】
また、コントローラ５３は、ターゲット発光部ＴＬを除外した発光部５７（以下、「バックグラウンド発光部」という）に０．５ｍｓの間スキャンラインと連結されるようにし、１５．５ｍｓの間スキャンラインと分離されるようにする信号を全てのデータラインＤＴ１，ＤＴ２，ＤＴ３，...，ＤＴｎを介して各発光部に伝送する。
【０１３５】
この場合、ターゲット発光部ＴＬのデューティサイクルは１／８（周期８ｍｓ）となり、バックグラウンド発光部５７のデューティサイクルは１／３２（周期１６ｍｓ）となる。すなわち、ターゲット発光部のデューティサイクルが、バックグラウンド発光部のデューティサイクルよりも４倍大きいと言える。したがって、発光部に同一の大きさの電流を供給し、デューティサイクルを異なるようにすると、ターゲット発光部が、バックグラウンド発光部に比べてさらに明るく発光するようになる。すなわち、バックグラウンド発光部の電流供給周期を長く（周波数を小さく）すると、使用者は、ターゲット発光部ＴＬが残りのバックグラウンド発光部５７よりも明るい状態にあると感じるようになる。
【０１３６】
また、発光部に電力を供給する周期を小さく設定して、発光部の周波数がフリッカリング（ｆｌｉｃｋｅｒｉｎｇ）を認知可能な臨界周波数（約１０Ｈｚ）以上になるようにすると、使用者は、発光部が点滅することを認知できない。したがって、使用者は、ターゲット発光部ＴＬがバックグラウンド発光部に比べて明るい状態を持続的に維持すると認識するようになる。
【０１３７】
バックグラウンド発光部のデューティサイクルにおいて周波数は３１．２５Ｈｚであり、ターゲット発光部のデューティサイクルにおいて周波数は１２５Ｈｚであってもよい。したがって、使用者は、ターゲット発光部とバックグラウンド発光部が発光するか否か、及びターゲット発光部とバックグラウンド発光部との明るさの差を明確に認識することができる。
【０１３８】
したがって、本発明は、各発光部に供給される電流の大きさの変化なしに、各発光部に供給される電流のデューティサイクルの制御を通じて発光部の明るさを制御することができる。
【０１３９】
図５は、使用者が、電源入力部８を介して衣類処理装置１００に電源供給命令を入力した時に、コントロールパネルＣＰが作動する過程を示す。
【０１４０】
本実施例は、使用者が、電源入力部８を介して衣類処理装置１００に制御命令（電源供給命令）を入力すると、予め設定されたターゲット発光部のみが明るい状態を維持し、残りの発光部はターゲット発光部よりも低い明るさを有するように制御されることが特徴である。
【０１４１】
ターゲット発光部は、ターゲット放出部Ｔの下部に位置した発光部５７を意味し、ターゲット放出部Ｔは、使用者の使用頻度が高いコース、使用者の使用頻度が高い細部設定を表示する光放出部４３を意味する。
【０１４２】
ターゲット放出部Ｔは、使用者によって設定されてもよく、衣類処理装置１００の設計者によって設定されてもよい。図５は、標準コース及び冷水洗濯をターゲット放出部Ｔとして設定した場合を一例として示している。
【０１４３】
使用者が電源入力部８に身体（指など）を接触させないと、発光部５７に電流が供給されない。そのため、発光部５７に電流が供給されない限り、使用者は文字、記号または数字の形態を有する光放出部４３を認識できない（図５（ａ））。
【０１４４】
このような効果は、パネルボディー４を黒色のような無彩色の物質でコーティングまたは彩色して設ける場合、極大化する。したがって、光放出部４３全体をブラックパネルディスプレイのように認識できる。
【０１４５】
一方、使用者が電源入力部８に身体を接触させると、タイマー５４は、設定された周期（１ｍｓ供給／７ｍｓ供給遮断）によって選択される一つのスキャンライン（ＳＣ１乃至ＳＣ８）に、設定された時間（図４（ｃ）の第１時間乃至第８時間）の間電流を供給するようになる。
【０１４６】
これと同時に、各データラインＤＴは、コントローラ５３の制御を受けて、ターゲット放出部Ｔの下部に位置したターゲット発光部のデューティサイクルが、残りの発光部に比べて大きくなるように、各発光部に電流を供給する。
【０１４７】
例を挙げて説明すると、使用者が電源入力部８に身体を接触させると、タイマー５４は、８ｍｓ周期（１ｍｓの間電流供給／７ｍｓの間供給遮断）で一つのスキャンラインを選択して、選択されたスキャンラインに一定の大きさの電流を一定の時間（例：１ｍｓ（第８時間）など）の間供給する。
【０１４８】
このとき、コントローラ５３は、ターゲット発光部には、１ｍｓの間スキャンラインに連結されるようにし、７ｍｓの間スキャンラインと分離されるようにする制御信号（デューティサイクル１／８、周波数１２５Ｈｚ）を伝送し、バックグラウンド発光部には、０．５ｍｓの間スキャンラインに連結されるようにし、１５．５ｍｓの間スキャンラインと分離されるようにする制御信号（デューティサイクル１／３２、周波数約３１．２５Ｈｚ）を伝送することができる。
【０１４９】
上述した場合、ターゲット発光部とその他の全ての発光部の周波数が、フリッカリングが認知される臨界周波数（約１０Ｈｚ）以上であるので、使用者は、発光部が点滅することを認知することができず、ターゲット発光部のデューティサイクルがバックグラウンド発光部のデューティサイクルよりも大きいので、使用者は、ターゲット発光部の上部に位置したターゲット放出部Ｔが表示するコースが選択されたことを認識できるようになる。
【０１５０】
したがって、本発明は、発光部の周波数が、発光部の点滅を認知できない臨界周波数以上の周波数を有するので、発光部のデューティサイクルの制御を通じて、発光部の明るさを調節すると共に、使用者がフリッカリングを認知できないという効果がある。
【０１５１】
勿論、図５（ｂ）に示した状態で使用者がコース入力部６ｂを押すことによって、ターゲット発光部は順次変更される。すなわち、コース入力部６ｂに対応する放出部第２列４３２のターゲット発光部は可変できる。したがって、使用者は、選択されたコースを明確に把握することができる。
【０１５２】
図６Ａ及び図６Ｂは、使用者が電源入力部８を介して衣類処理装置１００に電源供給命令を入力した時に、コントロールパネルＣＰが作動する過程を示す。
【０１５３】
図６Ａ及び図６Ｂの実施例は、図５の実施例とは異なり、光放出部４３が複数の段階を経て徐々に明るくなった後、ターゲット放出部Ｔは明るい状態を維持し、バックグラウンド放出部は徐々に暗くなってターゲット放出部Ｔよりも暗い状態を維持することが特徴である。すなわち、電源が印加されると、複数の段階を経て、図６Ｂ（ｂ）に示す状態に到達し得る。図６Ｂ（ｂ）は、図５（ｂ）と同一の状態であり得る。
【０１５４】
本実施例の場合にも、使用者が電源供給命令を入力しないと、発光部５７に電流が供給されないので、使用者は、文字、記号または数字の形態を有する光放出部４３を認識しにくい（図６Ａ（ａ））。
【０１５５】
タイマー５４は、１ｍｓごとに電流が供給されるスキャンラインを変更しながら、選択されたスキャンラインに電流が供給される時間を８段階（第１時間ないし第８時間）に区分して制御することができる（図４（ｂ）、図４（ｃ）参照）。
【０１５６】
したがって、使用者が電源入力部８を介して電源供給命令を入力すると、タイマー５４は、１ｍｓの単位で、第１スキャンラインＳＣ１ないし第８スキャンラインＳＣ８のいずれか一つを選択した後、第１時間（１２５μｓ）の間一定の大きさの電流を、選択されたスキャンラインに供給する。コントローラ５３が、データラインを介して、発光部５７が各発光部に電流を供給するスキャンラインと１２５μｓの間連結されるようにする信号（第１デューティサイクル、１２５μｓ／７ｍｓ＋８２５μｓ））を伝送すると、８個の発光部列５７１〜５７８は、最も低いレベルの明るさ（第１レベルの明るさ）を一定時間の間維持できるようになる（図６Ａ（ｂ））。
【０１５７】
一方、タイマー５４が、１ｍｓごとに第１スキャンラインＳＣ１ないし第８スキャンラインＳＣ８のいずれか一つを選択した後、第８時間（１ｍｓ）の間一定の大きさの電流を、選択されたスキャンラインに供給し、コントローラ５３は、データラインを介して、発光部５７が１ｍｓの間スキャンラインに連結されるようにする信号（第８デューティサイクル、１／８）を伝送すると、８個の発光部列５７１〜５７８は、最も高いレベル（第８レベル）の明るさを一定時間の間維持するようになる（図６Ｂ（ａ））。
【０１５８】
したがって、図６Ａ（ｂ）に示した状態と図６Ｂ（ａ）に示した状態との間に、第１レベルと第８レベル間の明るさを具現する発光部制御過程を設けると、本発明は、光放出部４３が少なくても２つ以上の明るさレベルによって徐々に明るくなるイメージを具現できるようになる。
【０１５９】
一方、図６Ｂ（ａ）に示すように、８個の発光部列５７１〜５７８が第８レベルの明るさに到達すると、ターゲット発光部は、第８レベルの明るさを維持する反面、バックグラウンド発光部は、徐々に第１レベルの明るさまで暗くなるように制御される。
【０１６０】
すなわち、８個の発光部列５７１〜５７８が第８レベルの明るさに到達すると、タイマー５４は、１ｍｓごとに第１スキャンラインＳＣ１ないし第８スキャンラインＳＣ８のいずれか一つを選択した後、第８時間（１ｍｓ）の間電流を供給する。コントローラ５３は、ターゲット発光部には、１ｍｓの間スキャンラインに連結させ、７ｍｓの間スキャンラインと分離させる制御信号（デューティサイクル１／８）を伝送し、バックグラウンド発光部には、１２５μｓの間のみスキャンラインに連結させる信号を伝送することができる（図６Ｂ（ｂ））。
【０１６１】
したがって、ターゲット発光部の上部に位置したターゲット放出部Ｔは、残りの放出部に比べて明るい状態を維持するようになるので、使用者は、ターゲット放出部Ｔが表示するコースが選択されたことを認識することができる。
【０１６２】
勿論、図６Ｂ（ｂ）に示した状態で使用者がコース入力部６ｂを押すことによって、ターゲット発光部は順次変更される。すなわち、コース入力部６ｂに対応する放出部第２列４３２のターゲット発光部は可変できる。したがって、使用者は、選択されたコースを明確に把握することができる。
【０１６３】
図７Ａ及び図７Ｂの実施例は、図６Ａ及び図６Ｂの実施例とは異なり、使用者が電源入力部８を介して電源供給命令を入力したとき、全ての発光部５７が最も明るい状態（第８レベル）になった後、ターゲット発光部（ターゲット放出部Ｔの下部に位置した発光部）を除外した残りの発光部は徐々に暗くなって最も暗い状態（第１レベル）に変化することが特徴である。
【０１６４】
すなわち、図７Ａ（ａ）状態で、使用者が電源入力部８を介して電源供給命令を入力すると、タイマー５４は、１ｍｓごとに第１スキャンラインＳＣ１ないし第８スキャンラインＳＣ８のいずれか一つを選択した後、第８時間（１ｍｓ）の間一定の大きさの電流を、選択されたスキャンラインに供給する。
【０１６５】
このとき、コントローラ５３は、全ての発光部に、１ｍｓの間スキャンラインに連結されるようにし、７ｍｓの間スキャンラインと分離されるようにする制御信号（デューティサイクル１／８）を伝送する。したがって、全ての光放出部４３は、図７Ａ（ｂ）に示すように、最も明るい状態を維持するようになる。
【０１６６】
その後、タイマー５４は、１ｍｓごとに第１スキャンラインＳＣ１ないし第８スキャンラインＳＣ８のいずれか一つを選択して、第８時間（１ｍｓ）の間一定の大きさの電流を、選択されたスキャンラインに供給する。コントローラ５３は、ターゲット発光部のデューティサイクルは維持（デューティサイクル１／８）する一方、バックグラウンド発光部のデューティサイクルは下げることができる（バックグラウンド発光部には、１２５μｓの間のみスキャンラインに連結されるようにする信号を伝送）。
【０１６７】
したがって、図７Ｂに示すように、ターゲット放出部Ｔはバックグラウンド放出部に比べて明るい状態を維持するようになるので、使用者は、ターゲット放出部Ｔが表示するコースが選択されたことを認識することができる。
【０１６８】
図７Ａ（ｂ）に示した状態と図７Ｂに示した状態との間に、第８レベルと第１レベル間の明るさを具現する発光部制御過程を設けると、本発明は、光放出部４３が少なくても２つ以上の明るさレベルによって徐々に暗くなるイメージを具現できるようになる。
【０１６９】
図５乃至図７Ｂを通じて説明したように、電源が印加されると、コントロールパネルの状態は、図５（ｂ）、図６Ｂ（ｂ）、そして図７Ｂのように互いに同一の状態となり得る。すなわち、使用者が制御命令を入力できる状態となる。このような各実施例は、使用者が制御命令を入力する状態に至るまで、多様に発光部の明るさを互いに異なるように調節できるということを意味する。したがって、電源が印加される前には、ミニマルなデザインを具現することができ、電源が印加されると、視認性が向上したコントロールパネルを具現することができる。
【０１７０】
図８Ａ乃至図８Ｃの実施例は、使用者が電源入力部８を介して電源供給命令を入力したとき、発光部第１列５７１から発光部第８列５７８が順次に明るくなるように（順次に光を放出するように）制御されることが特徴である。
【０１７１】
特に、本実施例は、一つの発光部列（５７１乃至５７８）が光を放出すると、以前に光を放出した発光部列は、現在光を放出する発光部列に比べて暗い状態を維持するように発光部を制御することができる。
【０１７２】
すなわち、本実施例は、電源供給命令が入力されると、発光部第１列５７１が第８レベルの明るさを一定時間維持するように発光部を制御し、設定された時間が経過すると、発光部第２列５７２は第８レベルの明るさとなる一方、発光部第１列５７１は第７レベル以下の明るさとなるように発光部を制御することができる。
【０１７３】
図８Ａ（ａ）に示した状態で、使用者が電源入力部８を介して電源供給命令を入力すると、タイマー５４は、１ｍｓの単位で、第１スキャンラインＳＣ１ないし第８スキャンラインＳＣ８のいずれか一つを選択した後、第８時間（１ｍｓ）の間一定の大きさの電流を選択されたスキャンラインに供給する。
【０１７４】
第１スキャンラインＳＣ１に第８時間の間電流が供給されるとき、コントローラ５３は、発光部第１列５７１を形成する発光部にのみ、１ｍｓの間第１スキャンラインに連結されるようにする制御信号（デューティサイクル１／８）を伝送する。したがって、発光部第１列５７１の上部に位置した放出部第１列４３１は、第８レベルの明るさ（最も明るい状態）を維持するようになる（図８Ａ（ｂ））。
【０１７５】
放出部第１列４３１が第８レベルの明るさを維持する時間（基準時間）は、電流供給周期を連続する回数によって変更可能である。タイマー５４によって第１スキャンラインＳＣ１にのみ電流が供給される間、コントローラ５３が放出部第１列４３１の発光部にのみ電流を供給する制御を繰り返す回数だけ明るさ維持時間が比例するようになる。
【０１７６】
タイマー５４は、８ｍｓの周期で、第１スキャンラインＳＣ１に第１時間ないし第８時間（図４（ｃ）参照）の間一定の大きさの電流を供給する。コントローラ５３は、第１スキャンラインＳＣ１が選択された場合にのみ、発光部第１列５７１を形成する発光部に第１スキャンラインと連結されるようにする制御信号を伝送することができる。このような伝送をｎ回の周期（ｎは、２以上）の間行うことができる。したがって、発光部第１列５７１は、基準時間（周期の倍数（ｍｕｌｔｉｐｌｅ）に該当する時間）の間一定のレベルの明るさを維持するようになる。
【０１７７】
一方、発光部第１列５７１が基準時間の間一定のレベルの明るさで光を放出した後、コントローラ５３は、タイマー５４が第２スキャンラインＳＣ２に第８時間１ｍｓの間電流を供給する間、発光部第２列５７２を形成する発光部に、１ｍｓの間第２スキャンラインＳＣ２に連結されるようにする制御信号（デューティサイクル１／８）を伝送する。
【０１７８】
これと共に、コントローラ５３は、タイマー５４が第１スキャンラインＳＣ１に第７時間（８７５μｓ）の間電流を供給する間、発光部第１列５７１の各発光部５７に、８７５μｓの間、第１スキャンラインＳＣ１に連結されるようにする信号を伝送するようになる。
【０１７９】
このような制御をスキャンラインの周期の倍数（ｍｕｌｔｉｐｌｅ）に該当する時間（基準時間）の間維持すると、放出部第２列４３２は、最も明るい状態（第８レベル）を維持時間の間維持し、放出部第１列４３１は、放出部第２列４３２よりも暗い状態（第１レベル）を維持時間の間維持するようになる（図８Ｂ（ａ））。
【０１８０】
一方、タイマー５４が、第８スキャンラインＳＣ８から第１スキャンラインＳＣ１に順次に１ｍｓ（第８時間）、８７５μｓ、７５０μｓ、６２５μｓ、５００μｓ、３７５μｓ、２５０μｓ、１２５μｓ（第１時）の間電流を供給する間、コントローラ５３が、発光部第８列５７８から発光部第１列５７１が、それぞれ１ｍｓ、８７５μｓ、７５０μｓ、６２５μｓ、５００μｓ、３７５μｓ、２５０μｓ、１２５μｓの間スキャンラインに連結されるように発光部を制御すると、光放出部４３は、第８列４３８から第１列４３１に向かうほど次第に暗くなる状態が基準時間の間維持される（図８Ｂ（ｂ））。
【０１８１】
その後、タイマー５４は、１ｍｓごとに第１スキャンラインＳＣ１ないし第８スキャンラインＳＣ８のいずれか一つを選択して、第８時間（１ｍｓ）の間、選択されたスキャンラインに一定の大きさの電流を供給し、コントローラ５３は、ターゲット発光部には、１ｍｓの間スキャンラインに連結されるようにする制御信号（デューティサイクル１／８）を伝送し、バックグラウンド発光部には、１ｍｓより短い時間（例：１２５μｓ）の間のみスキャンラインに連結されるようにする信号を伝送することができる（図８（ｃ））。
【０１８２】
上述した実施例は、発光部第１列５７１から発光部第８列５７８に向かって、第８レベルの明るさを有する発光部列（ｃｏｌｕｍｎ）が移動する場合を説明したものであるが、発光部第８列５７８から発光部第１列５７１に向かって第８レベルの明るさを有する発光部列（ｃｏｌｕｍｎ）が移動するように変更してもよい。
【０１８３】
また、本発明は、パネルボディー４の下端からパネルボディー４の上端に向かって、第８レベルの明るさを有する発光部行（ｒｏｗ）が移動するか、またはパネルボディー４の上端からパネルボディー４の下端に向かって、第８レベルの明るさを有する発光部行（ｒｏｗ）が移動するように変更してもよい。
【０１８４】
また、本発明は、パネルボディー４の上端角部からパネルボディーの下端角部に向かって、第８レベルの明るさを有する斜線（ｄｉａｇｏｎａｌ  ｌｉｎｅ）形態の発光部列（ｃｏｌｕｍｎ）が移動するように変更してもよい。
【０１８５】
さらに、上述した実施例は、８個の放出部列（ｃｏｌｕｍｎ）の全てが互いに異なるレベルの明るさを有する場合を説明したものであるが、本実施例は、第８レベルの明るさを維持する放出部列は、パネルボディー４の一側から他側に向かって移動する一方、残りの放出部列は、低い水準の明るさレベル（第１レベルまたは第２レベル）の明るさに固定されるように変更してもよい。
【０１８６】
すなわち、発光部第２列５７２が、基準時間の間、第８レベルの明るさで光を放出した後、コントローラ５３は、発光部第３列５７３は、基準時間の間、第８レベルの明るさで光を放出するようにし、発光部第２列５７２及び発光部第１列５７１は、基準時間の間、第１レベルの明るさを維持するように発光部を制御することができる。
【０１８７】
具体的に、タイマー５４が、第３スキャンラインＳＣ２には第８時間（１ｍｓ）、第２スキャンラインＳＣ２及び第１スキャンラインＳＣ１には第１時間（１２５μｓ）の間電流を供給するようにスキャンラインを制御することができる。そして、コントローラ５３は、発光部第３列５７３を形成する発光部には、１ｍｓの間第３スキャンラインＳＣ３に連結されるようにする制御信号（デューティサイクル１／８）を伝送し、発光部第２列５７２及び第１列５７１には、各発光部５７が１２５μｓの間第２スキャンラインＳＣ２及び第１スキャンラインＳＣ１にそれぞれ連結されるようにする信号を伝送することができる。これを通じて、上述した制御が可能である。
【０１８８】
さらに、光放出部４３が８個の明るさレベルによって制御されることは、上述した実施例に設けられたタイマー５４が１ｍｓごとに一つのスキャンラインを選択し、電流供給の最小時間が１２５μｓに設定されているからである。したがって、タイマー５４の仕様によって、光放出部４３の明るさレベルの個数は変更可能である。
【０１８９】
図５乃至図８Ｃを通じて説明したように、電源が印加されると、コントロールパネルの状態は、図５ｂ、図６Ｂ（ｂ）、図７Ｂ、そして図８Ｃのように互いに同一の状態となり得る。すなわち、使用者が制御命令を入力できる状態となる。このような各実施例は、電源の印加後、使用者が制御命令を入力する状態に至るまで、発光部の明るさを多様に調節できるということを意味する。したがって、電源が印加される前にはミニマルなデザインを具現することができ、電源が印加されると、華麗で且つ視認性が向上したコントロールパネルを具現することができる。
【０１９０】
また、上述した実施例は、多数の発光部が設けられた場合を基準に説明したが、本発明は一つの発光部の制御にも適用可能である。
【０１９１】
また、上述したコントロールパネルＣＰは、衣類収容部２がキャビネット１の底面に対して垂直な方向に設けられるトップローディングタイプの衣類処理装置に適用された場合を説明したものであるが、本発明のコントロールパネルは、衣類収容部２がキャビネット１の底面に対して並んで設けられるフロントローディングタイプにも適用することができる。
【０１９２】
本発明は、様々な形態に変形して実施可能であり、上述した実施例にその権利範囲が限定されるものではない。したがって、変形された実施例が本発明の特許請求の範囲の構成要素を含んでいる場合、本発明の権利範囲に属するものと理解すべきである。
【図１】
2014200688.tif 000003
【図２】
2014200688.tif 000004
【図３】
2014200688.tif 000005
【図４】
2014200688.tif 000006
【図５】
2014200688.tif 000007
【図６Ａ】
2014200688.tif 000008
【図６Ｂ】
2014200688.tif 000009
【図７Ａ】
2014200688.tif 000010
【図７Ｂ】
2014200688.tif 000011
【図８Ａ】
2014200688.tif 000012
【図８Ｂ】
2014200688.tif 000013
【図８Ｃ】
2014200688.tif 000014